(57)【要約】【解決手段】化粧用ペンシル２５の先端部２６を刃先１２ａ側へ接近させる前進向きＳＦとこの刃先１２ａ側から離間させる後退向きＳＢとへ化粧用ペンシル２５の長手方向に沿ってスライドさせることにより、化粧用ペンシル２５の先端部２６をスライド方向Ｓで刃先１２ａに交差させて削る際、スライド方向Ｓの前進向きＳＦへの移動力を受けるように化粧用ペンシル２５の先端部２６に当接し得るストッパ部３１を設けた。また、化粧用ペンシル２５の先端部２６が載せられる載置部１４を有し、この載置部１４には汚れ防止空間１７を設けた。【効果】化粧用ペンシル２５の先端部２６に平坦部を形成し得るとともに、その平坦部の形成範囲をストッパ部３１により制限し得るので、その平坦部を適切な面積にすることができる。また、化粧用ペンシル２５の先端部２６により載置部１４が汚れるのを防止することができる。【選択図】図３
2004284133.tif 000002
【特許請求の範囲】
【請求項１】
ペンシルの先端部を刃体の刃先側へ接近させる前進向きとこの刃先側から離間させる後退向きとへペンシルの長手方向に沿ってスライドさせることにより、ペンシルの先端部をスライド方向で刃体の刃先に交差させて削る際、スライド方向の前進向きへの移動力を受けるようにペンシルの先端部に当接し得るストッパ部を設けたことを特徴とするペンシル削り器。
【請求項２】
ペンシルの先端部を挿脱口部から挿入してスライドさせ得る案内部と、この案内部内で挿脱口部に対しペンシルの先端部のスライド方向へ離間させて取り付けた刃体とを備え、
ペンシルの先端部を案内部の挿脱口部側から刃体の刃先側へ接近させる前進向きとこの刃先側から挿脱口部側へ離間させる後退向きとへペンシルの長手方向に沿ってスライドさせることにより、ペンシルの先端部をスライド方向で刃体の刃先に交差させて削る際、スライド方向の前進向きへの移動力を受けるようにペンシルの先端部に当接し得るストッパ部を案内部に設けた
ことを特徴とするペンシル削り器。
【請求項３】
前記案内部はペンシルの先端部のスライド方向に沿って延びる案内溝を有し、この案内溝は、前記挿脱口部のほかに、スライド方向に対し直交する面上で互いに直交する左右方向と上下方向とのうち、左右方向の両側になる左右両内側部と、この左右両内側部間で上下方向の下側になる内底部と、この左右両内側部間で上下方向の上側になる開放部とを有し、
前記ストッパ部にペンシルの先端部を当接させた位置決め状態で、ペンシルの先端部が左右方向へ動くのを規制する左右両側規制部を前記案内溝の左右両内側部に設けるとともに、ペンシルの先端部が上方向へ動くのを規制する上側規制部を前記案内溝の開放部に設けた
ことを特徴とする請求項２に記載のペンシル削り器。
【請求項４】
前記ストッパ部にペンシルの先端部を当接させた位置決め状態で、ペンシルの先端部が下方向へ動くのを規制する下側規制部を前記案内溝の内底部に設けたことを特徴とする請求項３に記載のペンシル削り器。
【請求項５】
ペンシルの先端部を刃体の刃先側へ接近させる前進向きとこの刃先側から離間させる後退向きとへペンシルの長手方向に沿ってスライドさせることにより、ペンシルの先端部をスライド方向で刃体の刃先に交差させて削る際、ペンシルの先端部が載せられる載置部を有し、この載置部にはペンシルの先端部による汚れを回避し得る汚れ防止手段を設けたことを特徴とするペンシル削り器。
【請求項６】
ペンシルの先端部を挿脱口部から挿入してスライドさせ得る案内部と、この案内部内で挿脱口部に対しペンシルの先端部のスライド方向へ離間させて取り付けた刃体とを備え、
ペンシルの先端部を案内部の挿脱口部側から刃体の刃先側へ接近させる前進向きとこの刃先側から挿脱口部側へ離間させる後退向きとへペンシルの長手方向に沿ってスライドさせることにより、ペンシルの先端部をスライド方向で刃体の刃先に交差させて削る際、ペンシルの先端部が載せられる載置部を前記案内部に設け、この載置部にはペンシルの先端部による汚れを回避し得る汚れ防止手段を設けたことを特徴とするペンシル削り器。
【請求項７】
前記案内部はペンシルの先端部のスライド方向に沿って延びる案内溝を有し、この案内溝は、前記挿脱口部のほかに、スライド方向に対し直交する面上で互いに直交する左右方向と上下方向とのうち、左右方向の両側になる左右両内側部と、この左右両内側部間で上下方向の下側になる内底部と、この左右両内側部間で上下方向の上側になる開放部とを有し、前記載置部はこの案内溝の内底部に設けられていることを特徴とする請求項６に記載のペンシル削り器。
【請求項８】
前記載置部における汚れ防止手段は、ペンシルの先端部との接触を回避し得る汚れ防止空間であることを特徴とする請求項５または請求項６または請求項７に記載のペンシル削り器。
【請求項９】
前記載置部の汚れ防止空間は載置部に設けた回避溝内でペンシルの先端部のスライド方向へ延び、この載置部には回避溝を挟む両側でペンシルの先端部を載せる案内面を設け、この回避溝内の汚れ防止空間はこの両案内面間で開放されていることを特徴とする請求項８に記載のペンシル削り器。
【請求項１０】
前記刃体は前記案内溝内で左右両内側部間に架設され、この刃体の刃先の延設方向がペンシルの先端部のスライド方向に対し交差するとともに、この刃先が前記案内溝の開放部側に向いていることを特徴とする請求項３または請求項４または請求項７に記載のペンシル削り器。
【請求項１１】
請求項１から請求項１０のうちいずれかの請求項に記載のペンシル削り器をホルダに取り付け、このホルダには、請求項１から請求項１０のうちいずれかの請求項に記載のペンシル削り器以外に、ペンシルの先端部をペンシルの長手方向を中心に回転させることによりペンシルの先端部の外周面を刃体の刃先に当てがって削るペンシル削り器を取り付けたことを特徴とするペンシル削り器。
【発明の詳細な説明】
【０００１】
【発明の属する技術分野】
本発明は、特に、化粧用ペンシルの先端部をその長手方向に沿ってスライドさせることによりペンシルの先端部をスライド方向で刃体の刃先に交差させて削るペンシル削り器に関するものである。
【０００２】
【従来の技術】
この種の化粧用ペンシル削り器としては、下記特許文献１の図５にも示されているように回転式のものが一般的であった。しかし、この回転式ペンシル削り器では、化粧用ペンシルの芯に平坦部を形成することができないので、下記特許文献１で示す化粧芯用削り器が提供されている。
【０００３】
この化粧芯用削り器（特に下記特許文献１の図３，４参照）においては、ホルダ部７に取り付けられた削り部５に刃物部４が設けられている。この化粧芯用削り器では、化粧用ペンシル２の先端部１３にある化粧芯１２を刃物部４側へ接近させる前進向きとこの刃物部４側から離間させる後退向きとへ化粧用ペンシル２の長手方向に沿ってスライドさせることにより、化粧用ペンシル２の先端部１３をスライド方向で刃物部４に交差させて削る。
【０００４】
【特許文献１】
特開２０００−３１８３８３号公報
【０００５】
【発明が解決しようとする課題】
しかし、化粧用ペンシル２を前進向きと後退向きとへ往復動させる際、その往復動作が不安定になって削りにくくなる欠点があった。特に、化粧用ペンシル２を前進向きへ移動させる際、化粧芯１２に対し平坦部を形成し過ぎて化粧芯１２が折れ易くなるおそれがあった。
【０００６】
この発明は、ペンシルの先端部に平坦部を形成し得るペンシル削り器を提供するとともに、その平坦部の形成範囲を制限して平坦部を適切な面積にすることを目的としている。
【０００７】
【課題を解決するための手段及び発明の効果】
後記実施形態の図面（図１〜５に示す第一実施形態、図６に示す第一実施形態の別例）の符号を援用して本発明を説明する。
【０００８】
＊  請求項１の発明
この発明にかかるペンシル削り器（１）においては、ペンシル（２５）の先端部（２６）を刃体（１２）の刃先（１２ａ）側へ接近させる前進向き（ＳＦ）とこの刃先（１２ａ）側から離間させる後退向き（ＳＢ）とへペンシル（２５）の長手方向に沿ってスライドさせることにより、ペンシル（２５）の先端部（２６）をスライド方向（Ｓ）で刃体（１２）の刃先（１２ａ）に交差させて削る際、スライド方向（Ｓ）の前進向き（ＳＦ）への移動力を受けるようにペンシル（２５）の先端部（２６）に当接し得るストッパ部（３１）を設けている。このペンシル（２５）とは、特に化粧用ペンシルを指すが、鉛筆やクレヨンなどの各種筆記具も含む。
【０００９】
請求項１の発明では、ペンシル（２５）の先端部（２６）に平坦部（Ｆ）を形成し得るとともに、その平坦部（Ｆ）の形成範囲をストッパ部（３１）により制限し得るので、その平坦部（Ｆ）を適切な面積にすることができる。
【００１０】
＊  請求項２〜４の発明
請求項２の発明にかかるペンシル削り器（１）は、ペンシル（２５）の先端部（２６）を挿脱口部（１１）から挿入してスライドさせ得る案内部（案内溝６）と、この案内部（６）内で挿脱口部（１１）に対しペンシル（２５）の先端部（２６）のスライド方向（Ｓ）へ離間させて取り付けた刃体（１２）とを備えている。ペンシル（２５）の先端部（２６）を案内部（６）の挿脱口部（１１）側から刃体（１２）の刃先（１２ａ）側へ接近させる前進向き（ＳＦ）とこの刃先（１２ａ）側から挿脱口部（１１）側へ離間させる後退向き（ＳＢ）とへペンシル（２５）の長手方向に沿ってスライドさせることにより、ペンシル（２５）の先端部（２６）をスライド方向（Ｓ）で刃体（１２）の刃先（１２ａ）に交差させて削る際、スライド方向（Ｓ）の前進向き（ＳＦ）への移動力を受けるようにペンシル（２５）の先端部（２６）に当接し得るストッパ部（３１）を案内部（６）に設けている。
【００１１】
請求項３の発明は請求項２の発明を前提として下記のように構成されている。
前記案内部はペンシル（２５）の先端部（２６）のスライド方向（Ｓ）に沿って延びる案内溝（６）を有している。この案内溝（６）は、前記挿脱口部（１１）のほかに、スライド方向（Ｓ）に対し直交する面上で互いに直交する左右方向（Ｙ）と上下方向（Ｚ）とのうち、左右方向（Ｙ）の両側になる左右両内側部（８）と、この左右両内側部（８）間で上下方向（Ｚ）の下側になる内底部（９）と、この左右両内側部（８）間で上下方向（Ｚ）の上側になる開放部（１０）とを有している。
【００１２】
前記ストッパ部（３１）にペンシル（２５）の先端部（２６）を当接させた位置決め状態（Ｐ）で、ペンシル（２５）の先端部（２６）が左右方向（Ｙ）へ動くのを規制する左右両側規制部（２８）を前記案内溝（６）の左右両内側部（８）に設けるとともに、ペンシル（２５）の先端部（２６）が上方向へ動くのを規制する上側規制部（３０）を前記案内溝（６）の開放部（１０）に設けている。
【００１３】
請求項４の発明は請求項３の発明を前提として下記のように構成されている。
前記ストッパ部（３１）にペンシル（２５）の先端部（２６）を当接させた位置決め状態（Ｐ）で、ペンシル（２５）の先端部（２６）が下方向へ動くのを規制する下側規制部（２９）を前記案内溝（６）の内底部（９）に設けている。
【００１４】
請求項２〜４の発明では、請求項１の発明の効果に加え、挿脱口部（１１）を有する案内部（案内溝６）により、ペンシル（２５）の先端部（２６）をスライド方向（Ｓ）へ往復動させる際にその往復動作が安定するので、削り易くなる。
【００１５】
＊  請求項５の発明
この発明にかかるペンシル削り器（１）においては、ペンシル（２５）の先端部（２６）を刃体（１２）の刃先（１２ａ）側へ接近させる前進向き（ＳＦ）とこの刃先（１２ａ）側から離間させる後退向き（ＳＢ）とへペンシル（２５）の長手方向に沿ってスライドさせることにより、ペンシル（２５）の先端部（２６）をスライド方向（Ｓ）で刃体（１２）の刃先（１２ａ）に交差させて削る際、ペンシル（２５）の先端部（２６）が載せられる載置部（１４）を有し、この載置部（１４）にはペンシル（２５）の先端部（２６）による汚れを回避し得る汚れ防止手段（１７，３３）を設けている。
【００１６】
請求項５の発明では、ペンシル（２５）の先端部（２６）により載置部（１４）が汚れるのを防止することができる。
＊  請求項６〜７の発明
請求項６の発明にかかるペンシル削り器（１）は、ペンシル（２５）の先端部（２６）を挿脱口部（１１）から挿入してスライドさせ得る案内部（案内溝６）と、この案内部（６）内で挿脱口部（１１）に対しペンシル（２５）の先端部（２６）のスライド方向（Ｓ）へ離間させて取り付けた刃体（１２）とを備えている。ペンシル（２５）の先端部（２６）を案内部（６）の挿脱口部（１１）側から刃体（１２）の刃先（１２ａ）側へ接近させる前進向き（ＳＦ）とこの刃先（１２ａ）側から挿脱口部（１１）側へ離間させる後退向き（ＳＢ）とへペンシル（２５）の長手方向に沿ってスライドさせることにより、ペンシル（２５）の先端部（２６）をスライド方向（Ｓ）で刃体（１２）の刃先（１２ａ）に交差させて削る際、ペンシル（２５）の先端部（２６）が載せられる載置部（１４）を前記案内部（６）に設け、この載置部（１４）にはペンシル（２５）の先端部（２６）による汚れを回避し得る汚れ防止手段（１７，３３）を設けている。
【００１７】
請求項７の発明は請求項６の発明を前提として下記のように構成されている。
前記案内部はペンシル（２５）の先端部（２６）のスライド方向（Ｓ）に沿って延びる案内溝（６）を有している。この案内溝（６）は、前記挿脱口部（１１）のほかに、スライド方向（Ｓ）に対し直交する面上で互いに直交する左右方向（Ｙ）と上下方向（Ｚ）とのうち、左右方向（Ｙ）の両側になる左右両内側部（８）と、この左右両内側部（８）間で上下方向（Ｚ）の下側になる内底部（９）と、この左右両内側部（８）間で上下方向（Ｚ）の上側になる開放部（１０）とを有している。前記載置部（１４）はこの案内溝（６）の内底部（９）に設けられている。
【００１８】
請求項６〜７の発明では、請求項５の発明の効果に加え、挿脱口部（１１）を有する案内部（案内溝６）により、ペンシル（２５）の先端部（２６）をスライド方向（Ｓ）へ往復動させる際にその往復動作が安定するので、削り易くなる。
【００１９】
＊  請求項８〜９の発明
請求項８の発明において、請求項５または請求項６または請求項７の発明にかかる載置部（１４）の汚れ防止手段は、ペンシル（２５）の先端部（２６）との接触を回避し得る汚れ防止空間（１７）である。
【００２０】
請求項９の発明は請求項８の発明を前提として下記のように構成されている。
前記載置部（１４）の汚れ防止空間（１７）は載置部（１４）に設けた回避溝（１６）内でペンシル（２５）の先端部（２６）のスライド方向（Ｓ）へ延びている。この載置部（１４）には回避溝（１６）を挟む両側でペンシル（２５）の先端部（２６）を載せる案内面（１５ａ）を設けている。この回避溝（１６）内の汚れ防止空間（１７）はこの両案内面（１５ａ）間で開放されている。
【００２１】
請求項８〜９の発明では、簡単な構造の汚れ防止手段により、載置部（１４）の汚れを防止することができる。
＊  請求項１０の発明
この発明において、請求項３または請求項４または請求項７の発明にかかる刃体（１２）は前記案内溝（６）内で左右両内側部（８）間に架設され、この刃体（１２）の刃先（１２ａ）の延設方向（Ｙ）がペンシル（２５）の先端部（２６）のスライド方向（Ｓ）に対し交差するとともに、この刃先（１２ａ）が前記案内溝（６）の開放部（１９）側に向いている。請求項１０の発明では、ペンシル（２５）の先端部（２６）を確実に削ることができる。
【００２２】
＊  請求項１１の発明
この発明にかかるペンシル削り器（１）においては、請求項１から請求項１０のうちいずれかの請求項の発明にかかるペンシル削り器（スライド式ペンシル削り器３）をホルダ（２）に取り付け、このホルダ（２）には、請求項１から請求項１０のうちいずれかの請求項の発明にかかるペンシル削り器（３）以外に、ペンシル（２５）の先端部（２６）をペンシル（２５）の長手方向を中心に回転させることによりペンシル（２５）の先端部（２６）の外周面（２６ａ）を刃体（１２）の刃先（１２ａ）に当てがって削るペンシル削り器（回転式ペンシル削り器４）を取り付けている。
【００２３】
請求項１１の発明では、ペンシル削り器（スライド式ペンシル削り器３）とペンシル削り器（回転式ペンシル削り器４）とを同じホルダ（２）に取り付けているので、ペンシル（２５）の先端部（２６）を直円錐状に削った後にその先端部（２６）に平坦部（Ｆ）を形成する作業が行い易くなる。
【００２４】
【発明の実施の形態】
以下、本発明の第一実施形態にかかる化粧用ペンシル削り器について図１〜５を参照して説明する。
【００２５】
図１，２に示す化粧用ペンシル削り器１は、円筒状のホルダ２と、このホルダ２の一端部側に挿着されたスライド式ペンシル削り器３（図３参照）と、このホルダ２の他端部側に挿着された回転式ペンシル削り器４（図４参照）とを備えている。
【００２６】
前記スライド式ペンシル削り器３においては、前記ホルダ２の外周で周方向Ｘへ所定円周角度だけ延びるように形成された切欠部５に沿って案内溝６（案内部）が露出し、この案内溝６及び切欠部５を閉塞する開閉蓋７を有している。案内溝６は、周方向Ｘに直交する面上で互いに直交する左右方向Ｙ（ホルダ２の長手方向）と上下方向Ｚ（ホルダ２の半径方向）とのうち、左右方向Ｙの両側になる左右両内側部８と、左右両内側部８間で上下方向Ｚの下側になる内底部９と、左右両内側部８間で上下方向Ｚの上側になる開放部１０とを有している。この開放部１０の一部は、案内溝６における周方向Ｘの前後両側のうち、案内溝６の後側で挿脱口部１１として開放されている。また、この挿脱口部１１から前方へ離間する案内溝６内の前側では、刃体１２が内底部９及び左右両内側部８に嵌め込まれているとともに、この刃体１２よりも前方で開放部１０の一部が回避部１０ａにより開放されている。この案内溝６内で左右両内側部８間に架設された刃体１２の刃先１２ａは開放部１０側に向けて上向きになっているとともに、この刃先１２ａの延設方向（左右方向Ｙ）は周方向Ｘに対し直角に交差している。
【００２７】
前記案内溝６の開放部１０において前記ホルダ２の切欠部５の左右両側には刃体１２の刃先１２ａに面する移動規制板１３が左右方向Ｙで相対向して突設されている。この左右両移動規制板１３は周方向Ｘに沿って湾曲している。
【００２８】
前記案内溝６おいて挿脱口部１１に面する内底部９には汚れ防止手段を備えた載置部１４が形成されている。この載置部１４においては、左右一対の案内板１５が前記左右両内側部８に沿って延びるように互いに平行に形成されているとともに、この左右両案内板１５間には回避溝１６が形成されている。この左右両案内板１５上の案内面１５ａは前記刃体１２の側面１２ｂに対し鋭角で傾斜するように延び、前記回避溝１６内の汚れ防止空間１７がこの左右両案内面１５ａ間で開放部１０に向けて開放されている。
【００２９】
前記回転式ペンシル削り器４においては、刃体１８に隣接する削り孔１９が前記ホルダ２の端面側に開放され、この削り孔１９の入口１９ａを閉塞する開閉蓋２０を有している。この削り孔１９内においては、前記ホルダ２の長手方向（左右方向Ｙ）に沿った回転中心線Ｃに対し傾斜する内周面２１で囲まれる直円錐状孔部２２を有し、この直円錐状孔部２２の底面２２ａと入口１９ａとの間にはこの回転中心線Ｃを中心とする円形状の内周面２３で囲まれる円柱状孔部２４が形成されている。前記刃体１８の刃先１８ａはこの直円錐状孔部２２の内周面２１を含む面上に配設されている。
【００３０】
前記回転式ペンシル削り器４の削り孔１９に化粧用ペンシル２５の先端部２６を挿入して化粧用ペンシル２５の長手方向を中心に回転させると、化粧用ペンシル２５の先端部２６の外周面２６ａが刃先１８ａに当てがわれてその先端部２６が直円錐状に削られ、この先端部２６で直円錐状に尖った芯２７が露出する。
【００３１】
次に、直円錐状の芯２７が露出した化粧用ペンシル２５をこの回転式ペンシル削り器４から前記スライド式ペンシル削り器３に移し、この化粧用ペンシル２５の先端部２６を挿脱口部１１から案内溝６に挿入して押し込む。その挿入により、直円錐状の先端部２６の外周面２６ａが前記左右両案内板１５の案内面１５ａに載せられるとともに前記左右両移動規制板１３の内側に当てがわれて位置決め状態Ｐとなる。その位置決め状態Ｐで、化粧用ペンシル２５の先端部２６は、左右方向Ｙへの動きが左右両側規制部２８（左右両内側部８の内面）により規制され、下方向への動きが下側規制部２９（案内面１５ａ）により規制され、上方向への動きが上側規制部３０（左右両移動規制板１３の内面）により規制される。しかも、この位置決め状態Ｐで、化粧用ペンシル２５の先端部２６は、前記左右両移動規制板１３の内面であるストッパ部３１に当接するため、化粧用ペンシル２５の長手方向に沿ったスライド方向Ｓのうち刃先１２ａ側に接近する前進向きＳＦへの動きが規制される。このスライド式ペンシル削り器３において左右両側規制部２８と下側規制部２９と上側規制部３０とストッパ部３１とで位置決めされた化粧用ペンシル２５の先端部２６が進入する直円錐状空間３２の形態と、前記回転式ペンシル削り器４における削り孔１９の直円錐状孔部２２の形態とは、ほぼ一致する。すなわち、前記スライド式ペンシル削り器３において左右両案内板１５の案内面１５ａ上に直円錐状空間３２の外周面３２ａが互いに交差する頂点３２ｂでなす角度αと、前記回転式ペンシル削り器４において直円錐状孔部２２の内周面２１が互いに交差する頂点２２ｂでなす角度βとが、互いに一致する。また、前記直円錐状空間３２の頂点３２ｂは、スライド方向Ｓに対し直角で且つ刃先１２ａを通る面Ｑよりもスライド方向Ｓの前進向きＳＦへ離間した位置にある。
【００３２】
その後、化粧用ペンシル２５の先端部２６の芯２７を片側ずつ刃先１２ａに当てがった状態で、その先端部２６を案内溝６の挿脱口部１１側から刃先１２ａ側へ接近させる前進向きＳＦと刃先１２ａ側から挿脱口部１１側へ離間させる後退向きＳＢとへ化粧用ペンシル２５の長手方向に沿ってスライドさせる。そのスライド動作により、化粧用ペンシル２５の先端部２６の芯２７がスライド方向Ｓで刃体１２の刃先１２ａに交差してその芯２７の両側には図５に示す平坦部Ｆが順次形成される。その際、前記ストッパ部３１（左右両移動規制板１３の内面）が化粧用ペンシル２５の先端部２６に当接してスライド方向Ｓの前進向きＳＦへの移動力を受ける。また、そのスライド動作時、化粧用ペンシル２５の先端部２６の芯２７が前記載置部１４で回避溝１６内の汚れ防止空間１７を通る。図６に示す第一実施形態の別例においては、この汚れ防止空間１７に代えて、回避溝１６内には汚れの付き難い材質（例えばガラス）からなる汚れ防止体３３が埋め込まれている。また、前記案内溝６において左右両案内板１５間の回避溝１６を省略して形成された案内面にフッ素樹脂コーティングを施してもよい。
【図面の簡単な説明】
【図１】第一実施形態にかかるペンシル削り器を示す分解斜視図である。
【図２】（ａ）は第一実施形態にかかるペンシル削り器を示す組付け斜視図であり、（ｂ）は（ａ）のペンシル削り器において蓋を外した状態を示す斜視図である。
【図３】（ａ）は図２（ｂ）のペンシル削り器をホルダの半径方向で切断した状態を示すスライド式ペンシル削り器の拡大断面図であり、（ｂ）は（ａ）のＡ矢視図であり、（ｃ）は（ａ）の案内溝で載置部を示す部分断面図である。
【図４】図２（ｂ）のペンシル削り器をホルダの長手方向で切断した状態を示す回転式ペンシル削り器の部分拡大断面図である。
【図５】ペンシルの先端部を削り終えた状態を示す部分斜視図である。
【図６】（ａ）（ｂ）は第一実施形態の別例にかかるスライド式ペンシル削り器において図３（ａ）（ｂ）に相当する断面図である。
【符号の説明】
１…ペンシル削り器、２…ホルダ、３…スライド式ペンシル削り器、４…回転式ペンシル削り器、６…案内溝（案内部）、８…左右両内側部、９…内底部、１０…開放部、１１…挿脱口部、１２…刃体、１２ａ…刃先、１３…移動規制板、１４…載置部、１５ａ…案内面、１６…回避溝、１７…汚れ防止空間、２５…化粧用ペンシル、２６…先端部、２７…芯、２８…左右両側規制部、２９…下側規制部、３０…上側規制部、３１…ストッパ部、３３…汚れ防止体、Ｐ…位置決め状態、Ｓ…スライド方向、ＳＦ…前進向き、ＳＢ…後退向き、Ｘ…周方向、Ｙ…左右方向、Ｚ…上下方向、Ｆ…平坦部。
【図１】
2004284133.tif 000003
【図２】
2004284133.tif 000004
【図３】
2004284133.tif 000005
【図４】
2004284133.tif 000006
【図５】
2004284133.tif 000007
【図６】
2004284133.tif 000008